(57)【特許請求の範囲】
【請求項１】
入力画像データを記録媒体に形成されるトラックに記録するための記録装置において、
上記入力画像データを複数の直交変換ブロックに分割する手段と、
上記複数の直交手段ブロックのうち所定数の直交変換ブロックをブロック化することで複数のデータブロックを形成する手段と、
上記複数のデータブロックの各データブロックから、所定のアルゴリズムに従ってそれぞれ１個ずつ選択された複数の直交変換ブロックからシンクブロックを形成する手段と、
上記複数のシンクブロックのトラックへの記録処理を行う手段であって、上記シンクブロックが上記トラックの前半部のセクタに記録されるように、かつ、上記シンクブロックに含まれる直交変換ブロックをコンシールする場合に使用される直交変換ブロックが、上記シンクブロックを記録するトラックとは異なるトラックであってかつ該異なるトラックの後半部のセクタに記録されるように、上記記録処理を行う手段と
を有することを特徴とする画像データ記録装置。
【請求項２】
入力画像データを記録媒体に形成されるトラックに記録するための記録方法において、
上記入力画像データを複数の直交変換ブロックに分割する工程と、
上記複数の直交手段ブロックのうち所定数の直交変換ブロックをブロック化することで複数のデータブロックを形成する工程と、
上記複数のデータブロックの各データブロックから、所定のアルゴリズムに従ってそれぞれ１個ずつ選択された複数の直交変換ブロックからシンクブロックを形成する工程と、
上記複数のシンクブロックのトラックへの記録処理を行う際に、上記シンクブロックが上記トラックの前半部のセクタに記録されるように、かつ、上記シンクブロックに含まれる直交変換ブロックをコンシールする場合に使用される直交変換ブロックが、上記シンクブロックを記録するトラックとは異なるトラックであってかつ該異なるトラックの後半部のセクタに記録されるように、上記記録処理を行う工程と
を有することを特徴とする画像データ記録方法。
【発明の詳細な説明】
【０００１】
【産業上の利用分野】
本発明は、入力されるディジタルデータ、特に画像データをサブサンプリングした直交変換ブロックをシャフリング処理して記録する記録装置及び方法に関する。
【０００２】
【従来の技術】
従来からのディジタルＶＴＲとしては、いわゆる４：２：２コンポーネント符号化方式に基づいたＤ−１フォーマットのＶＴＲ、現行放送の複合映像信号をディジタル化して記録する方式に基づいたＤ−２フォーマットのＶＴＲ、１／２インチのテープを用いて上記複合映像信号をディジタル記録する方式に基づいたＤ−３フォーマットのＶＴＲ等がある。これらのディジタルＶＴＲは、いずれも誤り訂正（以下、ＥＣＣという）処理を行いながら、信号の記録／再生を行っている。
【０００３】
しかしながら、ディジタルＶＴＲには、上記ＥＣＣ処理を行った際に誤りの存在は検出できるが訂正できない場合がある。このような誤り訂正不能を回避したり、例えば修整画素の画面の集中による画質劣化を抑えるため、ディジタルＶＴＲは、例えば画像符号の発生順序と記録符号の順序とを入れ換える等のいわゆるシャフリング処理を行っている。
【０００４】
実際に、ディジタルＶＴＲのシャフリング処理としては、例えばヘッドのクロッグやテープ上の傷等に対するコンシールメントを重視して隣接サンプルをテープ上の離れた位置に配置させる処理が行われている。このような対応処理を行うことによってディジタルＶＴＲは、符号誤りの集中をさせずに、画質劣化を目立たなくしている。
【０００５】
この他、ディジタルＶＴＲは、入力映像信号をディジタル化した画像符号にしてディジタルＶＴＲが有する複数のチャンネルに分けてチャンネルあたりのビットレートを低くすると共に、ある画面内に誤りが集中しないように画素に対応する画像符号を各チャンネルに均等に分配する配慮も行っている。
【０００６】
【発明が解決しようとする課題】
ところで、ユーザには、ディジタルＶＴＲの入出力信号にコンポーネント信号を要求されることが多い。しかしながら、コンポーネント信号を扱える上記Ｄ−１フォーマットのディジタルＶＴＲは、非常に高価な装置である。従って、ユーザは、コストパフォーマンスを高めるため、従来のＶＴＲカセットも再生でき、低価格なディジタルＶＴＲの要求が強い。また、ユーザは、使用するテープカセットの大きさの小型化、記録時間の増大も望んでいる。これらのユーザ要求を満足するため、ディジタルＶＴＲには入力映像信号をディジタルの画像データにして圧縮を施す必要が出てくる。
【０００７】
ところが、ディジタルＶＴＲにおいて画像データを直交変換によるブロック符号化、例えば離散コサイン変換（以下、ＤＣＴという）してデータを圧縮し記録する場合、ディジタルＶＴＲでは、データ圧縮を行うことにより画像符号の符号誤りが画面上でブロック誤りとして現れてしまう。この画面上のブロック誤りは、広い領域にわたって影響がでるので画質劣化が目立ちやすくなってしまう。
【０００８】
そこで、本発明は、上述したような実情に鑑みてなされたものであり、画像データの圧縮を行っても再生時の画面上の画質劣化が目立たない記録を行わせることができる記録装置及び方法の提供を目的とする。
【０００９】
【課題を解決するための手段】
本発明に係る記録装置は、入力画像データを記録媒体に形成されるトラックに記録するための記録装置において、上記入力画像データを複数の直交変換ブロックに分割する手段と、上記複数の直交手段ブロックのうち所定数の直交変換ブロックをブロック化することで複数のデータブロックを形成する手段と、上記複数のデータブロックの各データブロックから、所定のアルゴリズムに従ってそれぞれ１個ずつ選択された複数の直交変換ブロックからシンクブロックを形成する手段と、上記複数のシンクブロックのトラックへの記録処理を行う手段であって、上記シンクブロックが上記トラックの前半部のセクタに記録されるように、かつ、上記シンクブロックに含まれる直交変換ブロックをコンシールする場合に使用される直交変換ブロックが、上記シンクブロックを記録するトラックとは異なるトラックであってかつ該異なるトラックの後半部のセクタに記録されるように、上記記録処理を行う手段とを有することにより、上述の課題を解決する。
【００１０】
また、本発明に係る画像データ記録方法は、入力画像データを記録媒体に形成されるトラックに記録するための記録方法において、上記入力画像データを複数の直交変換ブロックに分割する工程と、上記複数の直交手段ブロックのうち所定数の直交変換ブロックをブロック化することで複数のデータブロックを形成する工程と、上記複数のデータブロックの各データブロックから、所定のアルゴリズムに従ってそれぞれ１個ずつ選択された複数の直交変換ブロックからシンクブロックを形成する工程と、上記複数のシンクブロックのトラックへの記録処理を行う際に、上記シンクブロックが上記トラックの前半部のセクタに記録されるように、かつ、上記シンクブロックに含まれる直交変換ブロックをコンシールする場合に使用される直交変換ブロックが、上記シンクブロックを記録するトラックとは異なるトラックであってかつ該異なるトラックの後半部のセクタに記録されるように、上記記録処理を行う工程とを有することにより、上述の課題を解決する。
【００１１】
また、本発明の実施例における画像データ記録装置としては、入力画像データをサブサンプリングして得られたデータで複数の直交変換ブロックを構成し、この直交変換ブロックをシャフリングした後に直交変換処理を施してデータの圧縮を行う画像データ記録装置であって、上記サブサンプリングする際に重なり合う領域の上記直交変換ブロックを回転ヘッドのそれぞれ異なったヘッドチャンネルに対応させて記録することが挙げられる。
【００１２】
ここで、上記サブサンプリングによるコンシールメントが可能ということは、サブサンプルした際のあるサンプリング画像データに誤りがあっても左右隣のサンプルデータに誤りがないことを意味している。この画像データ記録装置は、サブサンプリングによる上記直交変換ブロックを４×４の画像データで構成し、この直交変換ブロックをシャフリングしている。上記直交変換ブロックは、一例として離散コサイン変換がある。この画像データ記録装置では、１フィールドが６トラックで構成されている。また、画像データ記録装置は、磁気ヘッドを介して記録再生する際、少なくとも４つのヘッドで行っている。
【００１３】
画像データ記録装置は、上記重なり合う領域の上記直交変換ブロックがトラックの前半部と後半部のセクタにそれぞれ分けて記録される。
また、上記直交変換ブロックにおいて、縦方向に並び合う直交変換ブロックを同一のトラックに記録させ、さらにこの縦方向に隣接する上記直交変換ブロックをトラックの前半部と後半部とに分けて記録させている。
【００１４】
ここで、１トラックのセクタは、少なくとも２セクタを有するフォーマット構成に成っている。
【００１５】
画像データ記録装置では、上記ヘッドチャンネルの同一のチャンネルに記録されるデータについて、一のトラックの次のトラックには、上記一のトラックの記録に用いた直交変換ブロックの左隣に位置する直交変換ブロックを記録させている。
【００１６】
また、上記直交変換ブロックを複数個まとめた１シンクブロックが１等長化単位として扱われている。さらに、この画像データ記録装置では、画面上の同じ画素に対応する輝度信号の直交変換ブロックと色差信号の直交変換ブロックをそれぞれテープ上の異なるシンクブロックに記録し色差信号を構成する２つの色差信号の直交変換ブロックを同じシンクブロックに記録している。
【００１７】
ここで、上記１シンクブロックは、２０個の直交変換ブロックで構成している。このシンクブロックを１１４個集めて１セクタが構成されている。また、１フィールドの直交変換ブロック数は、１トラックを上下２つのセクタに分け、６トラックで１フィールドとしていることから（１１４×２×６）個になる。
【００１８】
【作用】
本発明に係る記録装置及び方法は、入力画像データを複数の直交変換ブロックに分割し、複数の直交手段ブロックのうち所定数の直交変換ブロックをブロック化することで複数のデータブロックを形成し、複数のデータブロックの各データブロックから、所定のアルゴリズムに従ってそれぞれ１個ずつ選択された複数の直交変換ブロックからシンクブロックを形成し、複数のシンクブロックのトラックへの記録処理を行う際に、シンクブロックがトラックの前半部のセクタに記録されるように、かつ、上ンクブロックに含まれる直交変換ブロックをコンシールする場合に使用される直交変換ブロックが、シンクブロックを記録するトラックとは異なるトラックであってかつ該異なるトラックの後半部のセクタに記録されるように記録処理を行うことにより、連続的なエラーが生じた場合でもコンシールにより画面上の不具合を目立たなくする。
【００１９】
本発明の実施例の画像データ記録装置は、入力された画像データをサブサンプリングして得られたデータで複数の直交変換ブロックを構成し、この直交変換ブロックに対するシャフリング処理を直交変換、例えば離散コサイン変換を行う前に行うことにより、離散コサイン変換処理後に必要とされる例えばデータビット数としての１６ビットに比べて１０ビットで処理してデータのビット低減を図っている。そして、画像データ記録装置は、上記サブサンプリングによる重なり合う領域の上記画像データを上記サブサンプリングして得られた上記複数の直交変換ブロックをそれぞれ回転ヘッドの異なったヘッドチャンネルに対応させて記録して一方のチャンネルに用いる磁気ヘッドに故障が発生しても他方側のチャンネルの磁気ヘッドを介してフィールド間での誤りを補償する。
【００２０】
また、上記サブサンプリングして得られた上記直交変換ブロックが１トラックを構成する複数のセクタにそれぞれ分けて記録することにより、一方のセクタに異常があっても、異常のないセクタの直交変換ブロックのデータを用いてコンシールする。
【００２１】
また、上記直交変換ブロックにおいて縦方向に並び合う同一のトラックに記録することにより、例えば次のフィールドでの同一トラックが異なる磁気ヘッドでの記録することになる。従って、一方の磁気ヘッドにダメージを受けても他方の磁気ヘッドで行い、フィールド間のコンシールメントを可能にしている。
【００２２】
上記縦方向に隣接する直交変換ブロックをブロック毎にトラックに沿って設けられている複数のセクタに分けて記録してバーストエラーに対処している。
【００２３】
さらに、同一ヘッドでの記録を同一チャンネル記録として、この同一チャンネルで記録する際に次のトラックには現在記録したデータブロックの左隣に位置する直交変換ブロックを記録して、取り付け角の小さい２個のヘッドが同時に異常となっても直交変換ブロックのサンプルを隣合わないように離している。
【００２４】
上記直交変換ブロックを複数個まとめた１シンクブロックが１等長化単位として扱われることにより、シンクエラーにより影響される直交変換ブロックを少なくしている。
【００２５】
画面上の同じ画素に対応する輝度信号の直交変換ブロックと色差信号の直交変換ブロックをそれぞれテープ上の異なるシンクブロックに記録して異なる等長化単位として等長化の効率を上げ、色差信号を構成する２つの色差信号の直交変換ブロックを同じシンクブロックに記録してフィールド間に色差信号を配しても本来の色と異なる色に発色してしまうことを防いでいる。
【００２６】
【実施例】
以下、本発明に係る記録装置及び方法が適用された画像データ記録再生装置の一実施例について、図面を参照しながら説明する。
【００２７】
図１は、本実施例における画像データ記録再生装置の概略的な構成を示している。
図１に示す画像データ記録再生装置は、記録系をシャフリング部１１、離散コサイン変換（ＤＣＴ）部１２、可変長符号化部１３、誤り訂正エンコード部１４、記録ユニット１５、回転ヘッド１６で構成している。また、再生系を上記記録系の逆処理を行うため、回転ヘッド１６、再生ユニット２１、誤り訂正デコード部２２、可変長復号化部２３、逆離散コサイン変換（以下、ＩＤＣＴという）部２４、デシャフリング部２５で構成している。
【００２８】
この画像データ記録再生装置の動作について図１を参照しながら簡単に説明する。
画像データ記録再生装置において、入力端子１０を介してシャフリング部１１にディジタル入力画像信号が供給されている。シャフリング部１１は、後段に配する直交変換の一つである離散コサイン変換を行うため、ディジタル入力画像信号をサブサンプリングして所定の画素データずつひとまとめに扱うデータブロック化、すなわちＤＣＴブロックを構成している。シャフリング部１１は、上記ＤＣＴブロックをシャフリング処理を行う単位として用いている。
【００２９】
ＤＣＴ部１２は、ＤＣＴ変換処理を行って可変長符号化部１３に画像データを出力する。可変長符号化部１３は、圧縮レートに従って可変長符号化が施された画像データが誤り訂正エンコード部１４に供給している。誤り訂正エンコード部１４は、誤り訂正用の符号を付加して記録ユニット１５に出力している。記録ユニット１５において例えば各種信号処理の施された画像データが回転ヘッド１６に供給され、この回転ヘッド１６を介して磁気テープ１７に記録されている。
【００３０】
再生時に画像データ記録再生装置は、磁気テープ１７から回転ヘッド１６を介して読み出した画像データを、再生ユニット２１、誤り訂正デコード部２２、可変長復号化部２３、ＩＤＴＣＴ部２４、デシャフリング部２５に送ることにより記録時の逆処理を行い、出力端子２６から出力している。
【００３１】
この画像データ記録再生装置においてシャフリング部１１の概略的なブロック構成について図２を参照しながら説明する。
図２においてディジタル入力画像信号が入力画像データとして入力端子１０を介してシャフリング部１１のデータ入出力インターフェース部１１１に供給されている。また、入力端子１８を介してアドレス切換選択信号が上記データ入出力インターフェース部１１１とアドレスデータ切換選択部１１２に供給されている。シャフリング部１１は、書込みアドレス生成部１１３、読出しアドレス生成部１１４、メモリ１１５を有している。データ入出力インターフェース部１１１は、メモリ１１５への画像データの入力、あるいは後述するメモリ１１５からの画像データの出力を上記アドレス切換選択信号によって入出力制御している。メモリ１１５は、データ入出力インターフェース部１１１を介して供給される画像データを後述する書込みアドレス位置に記憶させる。
ここで、メモリ１１５に供給される画像データは、例えば垂直同期信号（Ｖ）、水平同期信号（Ｈ）の時間を単位として書き込まれる。
【００３２】
入力画像データのシャフリングは、上記メモリ１１５を介して行われる。そのため、上記書込みアドレス生成部１１３と上記読出しアドレス生成部１１４は、後述するシャフリングを実現するための書込みアドレスデータと読出しアドレスデータとをそれぞれ生成している。上記書込みアドレス生成部１１３と上記読出しアドレス生成部１１４は、この生成された書込みアドレスデータと読出しアドレスデータをアドレスデータ切換選択部１１２に出力している。アドレスデータ切換選択部１１２は、フォーマットに応じたシャフリングを行うためのアドレス切換選択信号に応じて書込みアドレスデータと読出しアドレスデータのいずれか一方のアドレスデータをメモリ１１５に供給している。このとき、メモリ１１５は、供給されるアドレスがイネーブル状態になっている。
【００３３】
メモリ１１５は、供給された読出しアドレス位置に記憶しているデータをデータ入出力インターフェース部１１１、出力端子１９を介して出力画像データとして出力する。この出力画像データは、略々テープに記録される順序で読み出している。上記メモリ１１５は、上述したように映像の同期信号を用い、効率的な処理を行うため容量を２フィールド分必要である。このような構成で行うことにより、シャフリング部１１のシステムディレイは、約１フィールドになる。
【００３４】
ここで、画像データ記録装置において図１の模式的に示した回転ヘッド１６の各ヘッド位置を図３に示す。
回転ヘッド１６は、４つの磁気ヘッドＡ、Ｂ、Ｃ、Ｄを有している。磁気ヘッドＡ、Ｃは、第１のチャンネルＣＨ１で互いに１８０゜対向した位置に配設している。磁気ヘッドＢ、Ｄは、それぞれ磁気ヘッドＡ、Ｃの近傍に設けて第２のチャンネルＣＨ２に相当しており、磁気ヘッドＢ、Ｄも互いに１８０゜対向した位置に配設されている。隣接したヘッドは、互いにアジマスを有している。
【００３５】
この画像データ記録装置は、図４に示すように１フィールドあたり６トラックを使用する記録方式を採用している。このため、画像データ記録装置は、図３の４個の磁気ヘッドで記録再生する場合、一つ前の第Ｎ−１フィールドへの第１トラックの記録にＡヘッドを用いると第Ｎフィールドの第１トラックへの記録には、Ｃヘッドが使われることになる。このようにフィールド毎の対応するトラックへの記録が異なる磁気ヘッドで行われることになる。従って、１つのチャンネル記録を行う２つの磁気ヘッドの内、一方が故障しても他方の磁気ヘッドを用いてフィールド間のコンシールを行うことが可能になる。
【００３６】
次に、この画像データ記録装置におけるサブサンプリングについて図５を参照しながら説明する。
この画像データ記録装置には、図５（ａ）に示すようにアナログ入力映像信号をサンプリングして画面上の画素に対応する画像データが供給される。この供給された画像データは、例えば４×８の画素領域ＤＣ  をサブサンプルの重なり合う領域として扱う。サブサンプリングは、既にサンプリングされた画素データをこの場合例えば列方向にそれぞれシンボル○、×が交互に配置されたシンボルの画素をサンプリングする処理をいう。このサブサンプリング処理によって、図５（ａ）の画像データは、例えば図５（ｂ）、（ｃ）に示すシンボル○、あるいは×だけの４×４の画像データでＤＣＴブロックを構成する。すなわち、図５（ａ）の画像データは、重なり合う領域において各画像データがシンボル○、あるいは×の２系統のデータで表されることになる。この４×４の画像データが、上述したＤＣＴブロックの単位として、この単位でシャフリングが行われる。このＤＣＴブロック単位でシャフリング処理を行った後に離散コサイン変換処理を行っている。離散コサイン変換処理もＤＣＴブロック単位で行われることになる。
【００３７】
ここで、離散コサイン変換処理の前にシャフリング処理を行う構成にした理由について簡単に説明する。
ＤＣＴ変換処理前の画像データが１０ビットからなる画像データとすると、ＤＣＴ変換処理後の画像データは、１６ビット程度必要でビット数が増加してしまう。このＤＣＴ変換処理後、増加した画像データに対してシャフリング処理を行う回路構成は、上述した離散コサイン変換処理前にシャフリング処理を行う回路構成に比べて回路規模が大きくなってしまう。実際、本実施例のようにＤＣＴ変換処理前にシャフリング処理する構成では、図２のメモリ１１５や各部の処理回路のビット数を抑えて構成することができ、扱うビット数の低減を図ることになる。また、ＤＣＴブロック内にエラーが生じても異なるＤＣＴブロックに記録された左右に隣接したサンプルの画素データからエラー画素データを再現させることができ、コンシールを可能にする。
【００３８】
このように構成された画像データ記録装置において用いられるシャフリング処理の原理について図面を参照しながら順次説明していく。
先ず、本実施例で画像データ記録装置は、前述したように磁気テープ１７に記録するビットレートの低減を図るため、複数の磁気ヘッドを有する回転ヘッド１６を用いて記録を行っている。上記回転ヘッド１６は、図３に示した４つの磁気ヘッドＡ、Ｂ、Ｃ、Ｄを有している。これらの磁気ヘッドと記録チャンネルの関係は、前述したように磁気ヘッドＡ、Ｃが第１のチャンネルＣＨ１であり、磁気ヘッドＢ、Ｄが第２のチャンネルＣＨ２であるから、１フィールドあたり６トラックを使用する記録方式を採用した場合、図６に示す関係が得られる。すなわち、回転ヘッド１６の設定に応じてフィールドの第１のトラックが第１のチャンネルＣＨ１の磁気ヘッドＡで記録された場合、第２のトラックには画像データがアジマスの異なる磁気ヘッドＢの第２のチャンネルで記録される。図６に示す各トラックへの記録順から明かなように奇数トラックは第１のチャンネルＣＨ１、偶数トラックは第２のチャンネルＣＨ２として記録されることが判る。
【００３９】
このように画像データ記録装置は、サブサンプリングする際に重なった領域内で画像データを上記サブサンプリングして得られた上記複数のＤＣＴブロックをそれぞれ回転ヘッドの異なったヘッドチャンネルに対応させて記録している。
【００４０】
図５（ａ）の破線で囲まれた領域の画像データが、例えば４×８個のシンボル○、×で構成された重なり合った領域内のデータである。シャフリング部１１は、この画像データをサブサンプリングして図５（ｂ）、（ｃ）の４×４個の画素毎にシンボル毎に分けたＤＣＴブロックを形成し、それぞれ異なったヘッドチャンネルに記録する。
【００４１】
ここで、例えばダメージを受けたある磁気ヘッドがあって対応するトラックへの記録、あるいは再生ができなくても隣接する磁気ヘッドが正常であれば、図５（ｂ）の４×４個の画像データがなくても図５（ｃ）の４×４個の画像データから平均を取る等の演算処理によって図５（ｂ）の画像データをコンシールすることを可能にする。
これは、サブサンプリングする際に重なり合う領域をサブサンプリングして形成したＤＣＴブロックを回転ヘッド１６のそれぞれ異なったヘッドチャンネルに対応させて各トラックに記録することによって、サブサンプリングによるコンシールメントを可能にしている。
【００４２】
また、シャフリング部１１が行う他のシャフリングの原理は、上述したように重なり合う領域をサブサンプリングして得られた上記ＤＣＴブロックがトラックの前半部と後半部のセクタにそれぞれ分けて記録されることである。
【００４３】
この原理について図５及び図７を参照しながら説明する。
図５（ａ）のシンボル○、×を含む領域、すなわち重なり合う領域ＤＣ  を図５（ｃ）、（ｂ）のＤＣＴブロックＤＳ１、ＤＳ２に分けて図７に表すように、例えばトラックの前半（あるいは下部）側のセクタＳＡ１と後半（あるいは上部）側のセクタＳＡ２に分けて記録する。このようにすることにより、例えばテープの長手方向に傷が付いている場合やバーストによりセクタのいずれか一方が再生されない場合でも、異常のない側の記録されたＤＣＴブロックによって不具合のあったＤＣＴブロックのデータをコンシールすることができる。
【００４４】
また、次に説明する他のシャフリングの原理は、上記ＤＣＴブロックにおいて縦方向に並び合うＤＣＴブロックを同一のトラックに記録することである。前述したようにフィールド間のデータは、必ず異なる磁気ヘッドで記録されている。この関係は、図８に示すように例えばＮ番目のフレームの第１フィールドと第２フィールドの各トラックへの記録にそれぞれ異なる磁気ヘッドを用いている。実際のディジタルＶＴＲにおいて、後段で具体的な例について説明するがＤＣＴブロックには、第１のチャンネルＣＨ１、第２のチャンネルＣＨ２毎に６つずつＤＣＴブロックにラベル番号を付けられて計１２グループで構成されている。
シャフリング部１１は、磁気ヘッドがダメージを受けて前のフィールド、すなわち第１フィールドのデータにダメージを受けてもＮ番目のフレームの第２フィールドの磁気ヘッドが各トラックとも第１フィールドと異なる磁気ヘッドで記録されているため、このダメージを受けたＤＣＴブロックをコンシールすることができる。
【００４５】
さらに、シャフリング部１１が、縦方向に並び合うＤＣＴブロックを同一のトラックに記録する方法をとることによって、シャフリング部１１は、１トラックおきにヘッドチャンネルの同一チャンネルにおける縦方向の配列をそれぞれ列毎にＤＣＴブロックのラベル番号を“Ｌ１、Ｌ２、Ｌ１、Ｌ２、・・・”、“Ｌ５、Ｌ６、Ｌ５、Ｌ６、・・・”、“Ｌ３、Ｌ４、Ｌ３、Ｌ４、・・・”の繰り返しに設定して配置している。この理由については後段で詳述する。このため、縦方向に配列するＤＣＴブロックは、それぞれヘッドチャンネルの同一なチャンネルで同じ磁気ヘッドによる記録になる。図８の配列フォーマットは、例えばチャンネルＣＨ１においてＤＣＴブロックＣＨ１−Ｌ１、ＣＨ１−Ｌ２の記録を磁気ヘッドＡ、ＣＨ１−Ｌ３、ＣＨ１−Ｌ４の記録を磁気ヘッドＣ、ＣＨ１−Ｌ５、ＣＨ１−Ｌ６の記録を磁気ヘッドＡに設定して、同一チャンネルを縦方向に記録を行うことを示している。
【００４６】
ところが、図８のセクタＳＡ２に記されたＤＣＴブロックＣＨ１−Ｌ２の代わりにＤＣＴブロックＣＨ１−Ｌ４を記録すると、使用する磁気ヘッドは、磁気ヘッドＡと異なる磁気ヘッドＣを使わなければならなくなる。磁気ヘッドが“ダメージを受けてエラーが縦方向のＤＣＴブロックの境界近傍で発生している場合、両方の磁気ヘッドＡ、Ｃによるコンシールに必要なデータが確実に記録されているか知ることは難しい。
【００４７】
従って、上述したように同一トラック内の各セクタへの記録を同一チャンネルの磁気ヘッドで行うＤＣＴブロック配列、すなわち縦方向のＤＣＴブロック配列設定をとることにより、一つのチャンネルの磁気ヘッドを調べるだけで１トラック内の記録状態を判別することができる。このことにより、例えば磁気ヘッドＡに異常が発生してＮ番目のフレームにおいて第１フィールドの第１トラックの記録が行うことができなくても、第２フィールドの第１トラックが異なる磁気ヘッドＣで記録することになり、このトラックの前半部と後半部に設けた２つのセクタに記録されたＤＣＴブロックを用いて、コンシールすることができる。
このように設定することによって、フィールド間のＤＣＴブロックに生じるエラー及びセクタ境界近傍でのエラーもコンシールすることができる。
【００４８】
上述したようにシャフリング部１１の動作をさらに具体的に説明すると、シャフリング部１１は、縦方向に並んだＤＣＴブロック（Ｌ１、Ｌ２）、（Ｌ５、Ｌ６）、（Ｌ３、Ｌ４）をペアにトラックの２つのセクタに分けて記録している。図９に示すＤＣＴブロックが、交互に縦方向に並べられている。このＤＣＴブロックにラベル付けを行って分類し、異なるチャンネルの同一ラベルが付けられたＤＣＴブロックをそれぞれ異なるセクタに分けて記録している。このように同じラベルのＤＣＴブロックがトラックを分割しているセクタＳＡ１、ＳＡ２に分けて記録する（後段で示す図１４を参照）ことにより、一方の側のセクタがダメージを受けるような長手方向の傷等に対処するだけでなく、バーストエラーに対するコンシールメント領域の分散化を図ることができる。
【００４９】
次に説明する他のシャフリングの原理は、ヘッドチャンネルの同一のチャンネルに記録されるデータについて、一のトラックの次のトラックには、上記一のトラックの記録に用いたＤＣＴブロックの左隣に位置するＤＣＴブロックを記録することである。
このシャフリングの原理に関する記録位置関係について図１０の模式図を参照しながら説明する。
図１０において横方向のＤＣＴブロック配列が“・・・、Ｌ５、Ｌ１、Ｌ３、Ｌ５、Ｌ１”と配列されている。最初のＤＣＴブロックは、ラベルＬ１から開始する。また、図１０から明かなように同一チャンネルの記録を行うためにトラック番号は、“１、３、５”が選ばれる。各トラックには、磁気ヘッドＡ、Ｃを用いてそれぞれ記録される。このようにフィールド内のトラック番号に合わせてＤＣＴブロックが横方向に配列させている。
【００５０】
実際に同一チャンネル記録を行う際に図１０の第１のトラックには、ラベルＬ１のＤＣＴブロックのデータが磁気ヘッドＡで記録される。次の第３のトラックには、ラベルＬ１の左隣に位置するラベルＬ５のＤＣＴブロックのデータを磁気ヘッドＣで記録する。さらに第５のトラックには、ラベルＬ５の左隣に位置するラベルＬ３のＤＣＴブロックのデータを磁気ヘッドＡで記録する。このようにして同一チャンネルで記録する際に前のＤＣＴブロックの左隣に位置するＤＣＴブロックを次に記録する配列を採っている。
【００５１】
このＤＣＴブロック配列を用いる理由については図１１を参照しながら説明する。
ここで、はじめのサンプリングによって重なり合う領域は、（４×８）個の画像データで構成する。画像データ記録装置は、この（４×８）個のＤＣＴブロックを１列毎にサブサンプリングして図１１中のシンボル（○）と（×）に分けてＤＣＴブロックを構成している。サブサンプリングして得られたデータ（○）のＤＣＴブロックは、チャンネルＣＨ１を示している。また、サブサンプリングして得られたデータ（×）のＤＣＴブロックは、チャンネルＣＨ２を示している。例えば図１１（ａ）では、ＤＣＴブロックがラベルＬ３、Ｌ５の順に並べられている。
【００５２】
もし、ＤＣＴブロック内の境界付近にシンボル（●）で示す画像データ（第５のトラック）にエラーがあった場合、画像データ記録装置は、画像データ（●）の両隣に位置するチャンネルＣＨ１と異なるＤＣＴブロックＣＨ２−Ｌ３の画像データ（×）とＤＣＴブロックＣＨ２−Ｌ５の画像データ（×）を基に平均化してコンシールすればデータを再現できる。これらＤＣＴブロックＣＨ２−Ｌ３のデータ（×）とＤＣＴブロックＣＨ２−Ｌ５のデータ（×）は、図８から明らかなようにそれぞれ第４のトラックと第６のトラックに記録されている。ここで、回転ヘッド１６は、前述したように磁気ヘッドＡ、Ｂの組とＣ、Ｄの組と２組の磁気ヘッドが隣接して設けられている。
【００５３】
しかしながら、瞬時にヘッドクロッグ等を起こして磁気ヘッドのペアに不具合が生じたとき、例えば上述のような場合、第５のトラックのＤＣＴブロックＣＨ１−Ｌ５と第６のトラックのＤＣＴブロックＣＨ２−Ｌ５が並んだこの２トラックがペア、磁気ヘッドＣ、Ｄの組で再生できなくなってしまう。このため、第６のトラックも再生できない。このような不具合を回避するには、たとえ２トラックがペアがヘッドクロッグ等により再生できなくともこの２トラックに隣接しない位置のトラックを用いてコンシールすればよいことが判る。従って、シャフリング設定は、記録するＤＣＴブロックが隣合わないように、ＤＣＴブロックの配列を例えば上述したように“Ｌ１、Ｌ５、Ｌ３”の順にすればよい。
【００５４】
実際に画像データ（●）のように境界領域にある画像データ（第５のトラック）にエラーがあってもペアの磁気ヘッドを使用したトラックを用いることなく、図１０に示す第２のトラックのＤＣＴブロックＣＨ２−Ｌ１と第４のトラックのＤＣＴブロックＣＨ２ーＬ５とを用いてコンシールすることができる。
前述したシャフリングの原理をすべて満足すると、画像データとＤＣＴブロックの関係及び記録されるセクタの関係が得られる。この具体的なシャフリング処理の例については後段で詳述する。
【００５５】
また、画像データ記録装置は、図示しないがオーディオ信号とビデオ信号とをシンクブロックと呼ばれる共通フォーマットを用いて記録を行っている。この１個のシンクブロックは、２０個のＤＣＴブロックを用いて構成している。また、１セクタは、上記シンクブロックを１１４個で構成している。さらに、１フィールドは、１トラックを２セクタに分けて６トラック分で構成することから例えば（１１４×２×６）＝１３６８シンクブロックで構成してバッファリングしている。
【００５６】
ここで、この画像データ記録装置は、前述したようにＤＣＴ変換処理を行った後に可変長符号化部１３で圧縮レートに従って可変長符号化を施している。この可変長符号化処理によって画像データは等長化が行われる。この処理を行った結果、例えばシンクエラーが発生すると、このエラーの影響がＤＣＴブロックに現れる。この影響を受けるＤＣＴブロックを少なくする、いわゆるエラー対策が必要になる。さらに、後述するシャトル画等の特殊再生におけるエラー対策も必要になる。これらのエラー対策も、シャフリングの方式を決める大きな要因になっている。
【００５７】
そこで、上述したエラーの中でシンクエラーによる画質劣化対策として、画像データ記録再生装置は、１フィールド等の単位の画面全体で等長化させずに予め画面を細分化したＤＣＴブロックが複数個まとめられた１シンクブロックを１等長化単位として扱っている。
【００５８】
このため、上述したように１シンクブロックを１等長化単位として扱って、輝度信号Ｙと色差信号（Ｒ−Ｙ）、（Ｂ−Ｙ）のデータブロック数を同量にしている。この操作を行うことにより、１つのシンクブロックがシンクエラーとなった場合に画面の受ける影響はこのシンクブロックの領域だけになる。従って、この方法を用いれば、画像データ記録装置は、等長化によるエラーのあるＤＣＴブロックを抑えることができ、画質劣化する領域を少なくすることができる。さらにこの方法は、連続するＤＣＴブロックの消失に対して、画面上での分散も行うことができる。
【００５９】
また、画像データ記録装置は、特殊再生の一つとして長手方向にヘッドを移動させて可変速再生する、いわゆるシャトル再生機能を有している。このシャトル再生時において隣接するＤＣＴブロックが横並びに配置されることになるので、磁気テープの長手方向に傷が生じた場合、この傷により画面のある領域だけ画質が劣化してしまうことになる。すなわち、長手方向の傷は、エラーの発生場所を集中させてしまう。これを回避するため、シャフリング部１１は、各セクタ毎に記録する順番にオフセットを付けている。この操作は、テープ上で記録されるデータブロックの位置を分散させることになる。このＤＣＴブロックを等間隔に分散させるためシャフリング部１１は、表１に示すセクタ毎にオフセットを与えている。
【００６０】
【表１】
0003541830.tif 000002
【００６１】
このとき、表１の値は、長手方向のバーストエラーを考慮して重なり合うデータブロック間の距離を最大限に離すように設定している。表１から明らかなようにセクタ１Ａと１Ｂ、セクタ２Ａと２Ｂの間は、それぞれ１１４ブロック、すなわち１セクタ分、離している。
上述したように設定することにより、いわゆるシャトル再生時の画像の更新率を高め、長手方向の傷等にも強い装置にすることができる。
【００６２】
さらに、画像データ記録装置におけるシャフリング部１１は、画面上の同じ画素に対応する輝度信号のＤＣＴブロックと色差信号のＤＣＴブロックをそれぞれテープ上の異なるシンクブロックに記録し色差信号を構成する２つの色差信号のＤＣＴブロックを同じシンクブロックに記録している。
【００６３】
例えば図１２は、いわゆるディジタルＶＴＲの４：２：２の規格で１画素（ピクセル）が輝度信号Ｙ、色差信号（Ｒ−Ｙ）、（Ｂ−Ｙ）で表されることを示した図である。上記規格によって輝度信号Ｙの画素数３６０画素は、横方向で色差信号（Ｒ−Ｙ）、（Ｂ−Ｙ）の画素数１８０画素が２倍の関係になっている。この輝度信号と色差信号は、それぞれ異なったシンクブロックに記録する。一方、２つある色差信号（Ｒ−Ｙ）、（Ｂ−Ｙ）は同じシンクブロックに記録する。
【００６４】
一般に、輝度信号Ｙと色差信号（Ｒ−Ｙ）、（Ｂ−Ｙ）はお互いに相関があるため、上述した等長化の効率を画面全体に上げるため構成される等長化単位に含まれる情報量が同程度であるのが望ましい。そこで、同じ位置のサンプルを含む輝度信号Ｙと色差信号（Ｒ−Ｙ）、（Ｂ−Ｙ）のＤＣＴブロックを異なった等長化の単位として、異なったシンクブロックに記録する。
【００６５】
また、２つの色差信号（Ｒ−Ｙ）、（Ｂ−Ｙ）は、相関があるが例えばいわゆるシャトル再生を行った場合、フィールド間の色差信号が混合されることになり、画面に表示される本来の発色と異なる場合がでてきてしまう。
【００６６】
このように２つの色差信号（Ｒ−Ｙ）、（Ｂ−Ｙ）を同じシンクブロックに記録することにより、異常発色を防いでいわゆるシャトル再生であっても本来の色の画面表示させることができる。
【００６７】
前述した設定を踏まえて画像データ記録装置におけるシャフリングのより具体的な実施例について図１３〜図１６を参照しながら説明する。
ここで、国際無線通信諮問委員会（ＣＣＩＲ）による勧告６０１（CCIR REC.601）規格のＰＡＬ方式（６２５／５０）に従ったディジタルＶＴＲシステムに適用した場合について例示する。ディジタルＶＴＲにおける基本的な構成は、図１に示したブロックで、共通する部分に同じ参照番号を付している。
このディジタルＶＴＲシステムは、上記規格で規定された輝度信号Ｙ、色差信号（Ｒ−Ｙ）、（Ｂ−Ｙ）のいわゆる４：２：２の信号を満足する。図１３（ａ）に示す輝度信号Ｙの画素は３０４×７２０画素、色差信号（Ｒ−Ｙ）、（Ｂ−Ｙ）の画素は３０４×３６０画素で画面を構成している。ここで、括弧の中の数字は色差信号の画素数を示している。
【００６８】
ディジタルＶＴＲシステムにおけるシャフリング部１１は、図１３（ａ）に示す画面領域を重なり合う領域として画面内の画素を１列毎にサブサンプリングしている。図１３（ａ）のシンボル（○）で示した画素は、チャンネルＣＨ１の画像データ、シンボル（×）で示した画素は、チャンネルＣＨ２の画像データを示している。図１３（ａ）の重なり合う領域をサブサンプリングすることによって各チャンネルは、図１３（ｂ）に示すそれぞれ輝度信号の画素が３０４×３６０画素と色差信号の画素が３０４×１８０画素に分類する。このようにして画面画素をサブサンプリングしてチャンネル分配が行われる。ディジタルＶＴＲシステムにおけるシャフリング部１１では、これら輝度信号と色差信号の画素を４×４ずつの画像データを一つのブロックとしてまとめてＤＣＴブロックを構成する。図１３（ｃ）は、チャンネルＣＨ１、ＣＨ２共に画面を輝度信号において７６×９０ブロック、色差信号において７６ブロック×４５ブロックにブロック化された状態を示している。
【００６９】
両チャンネルのＤＣＴブロックには図１３（ｃ）に示すラベルＬを左上隅から順に付けている。ＤＣＴブロックのラベルは、図１３（ｃ）に示すように第１行目を“Ｌ１、Ｌ５、Ｌ３、Ｌ１、・・・、Ｌ１、Ｌ５、Ｌ３”、第２行目を“Ｌ２、Ｌ６、Ｌ４、Ｌ２、・・・、Ｌ２、Ｌ６、Ｌ４”として縦方向にこのＤＣＴブロック配列を繰り返す。また、横方向のＤＣＴブロック配列（すなわち、列方向）は、６トラックで１フィールドを表すことを考慮して“Ｌ１、Ｌ５、Ｌ３”、“Ｌ２、Ｌ６、Ｌ４”を繰り返す配列にしている。このＤＣＴブロック配列は、同一チャンネル記録においてトラック記録した後の同一チャンネルの次トラックにはヘッドチャンネルの同一な前トラックに記録したデータブロックの左隣に位置するデータブロックを記録するために採用している。
【００７０】
シャフリング部１１は、図１３（ｄ）に示す形成されたＤＣＴブロックに付された６つのラベルＬ１〜Ｌ６に応じた６つのグループに分別している。このラベル別のグループ分けによって１グループは、輝度信号Ｙについて３８×３０個のＤＣＴブロック、色差信号（Ｒ−Ｙ）、（Ｂ−Ｙ）について３８×１５個のＤＣＴブロックで構成されている。シャフリング部１１は、１画面をサブサンプリングして２チャンネルに分け、１チャンネルあたり６グループで構成している。すなわちシャフリング部１１は、１画面をチャンネル及びラベル毎に分類して１２グループにグループ化している。
【００７１】
図１４は、これら１２グループのＤＣＴブロックがシャフリング部１１に設定されている前述した複数のシャフリングの原理に沿って配列された結果を示した図である。図１４に示した６つのトラックは、画面の１フィールド分の画像データを記録している。ここで、回転ヘッド１６は、各トラックに沿ってセクタＳＡ１からセクタＳＡ２（矢印Ｓ）方向にスキャンしている。この方向へのスキャンを行いながら、回転ヘッド１６は矢印Ｍ方向に移動させている。
【００７２】
このシャフリング部１１におけるシャフリングの原理として、それぞれ上述したように１画面をサブサンプリングして得られた複数のＤＣＴブロックを各トラック毎の記録するヘッドチャンネルを異ならせて記録すること、一のトラックを２つのセクタで構成してなるトラックにそれぞれ分けて記録すること、上記ＤＣＴブロックにおいて縦方向に並び合うＤＣＴブロックを同一のトラックに記録した上に、このトラックの前半部と後半部のセクタに分けて記録すること、ヘッドチャンネルの同一のチャンネルに記録する際に次のトラックに左隣の位置のＤＣＴブロックを記録するという原理を満足することにより、予め上記ＤＣＴブロックにラベル付けを行って分類した、異なるヘッドチャンネルの同一ラベルが付けられたＤＣＴブロックを３トラックずつずらしてそれぞれ異なるセクタに分けて記録している。すなわち、この方法により、シャフリング部１１は、例えば上記チャンネルＣＨ１、ＣＨ２のラベルＬ１のＤＣＴブロックＣＨ１−Ｌ１、ＣＨ２−Ｌ１は、それぞれ第１のトラックと第４のトラックに記録することになる。
【００７３】
換言すれば、このようなシャフリング設定を行うことによってシャフリング部１１は、画像データとＤＣＴブロックの関係及びＤＣＴブロックと記録されるトラックを含めたセクタとを関係付けている。
【００７４】
このようなシャフリングの原理を満足することによって、シャフリング部１１は、ＤＣＴブロックの境界付近のサンプルデータがトラック、セクタを含めて並ぶことをなくすることができる。上述した規則に従ったＤＣＴブロック配列を行うと、ＤＣＴブロックの境界でエラーがある場合、長手方向に傷が付いた場合、回転ヘッド１６に設けた磁気ヘッドの一つ、あるいは隣接する磁気ヘッドのペアがヘッドクロッグした場合、バーストエラーが発生した場合等に対処してコンシールさせることができる。
【００７５】
画像データを圧縮するためにディジタルＶＴＲは、ＤＣＴブロックを等長化している。この等長化を行う際にシンクエラーの影響を極力少なくする方法を考えると、シャフリング処理の仕方に影響がでる。シンクエラーの影響を極力少なくする方法としては、例えば１フィールド等多くのシンクブロックで等長化せずに１シンクブロックを等長化の単位として用いる方法がある。このように等長化すると、ディジタルＶＴＲは、エラーの発生したＤＣＴブロックによる画質劣化の影響を少なくでき、シャトル再生時の画像の更新率も高めることができる。
【００７６】
また、ディジタルＶＴＲにおけるＤＣＴブロック化は、前述したように画像データの輝度信号Ｙ、色差信号（Ｒ−Ｙ）、（Ｂ−Ｙ）に対しても行われる。輝度信号Ｙは13.5MHz、色差信号（Ｒ−Ｙ）、（Ｂ−Ｙ）はそれぞれ6.75MHzと、いわゆる４：２：２の割合でサンプリングすることにより、輝度信号と色差信号とのデータ長が異なっている。輝度信号と色差信号との相関を維持してＤＣＴブロックの等長化の効率を画面全体に上げるには、構成される等長化単位に含まれる画像データ量が同じ程度であって欲しい。このため、輝度信号Ｙと色差信号（Ｒ−Ｙ）、（Ｂ−Ｙ）のデータブロックは異なった等長化単位として異なったシンクブロックに記録する。一方、色差信号（Ｒ−Ｙ）、（Ｂ−Ｙ）は同じ等長化単位のシンクブロックに記録する。
【００７７】
この設定を行うことにより、画面全体の等長化の効率を上げることができる。また、同じシンクブロックに記録することで例えば従来のシャトル再生時にフィールド間の色差信号を混合して色再現性が悪化してしまう不具合を防ぐことができる。
【００７８】
次に、図１４に示した各セクタ内に記録するＤＣＴブロックの順番について図１５を参照しながら説明する。
前述したように各チャンネルの各グループは、図１５に示した３８×３０＝１１４０個のＤＣＴブロックを有している。１グループのＤＣＴブロックの番号が、図１５に示す左上隅のＤＣＴブロック番号０から横方向にデータブロック番号２９まで１ずつ番号を歩進させて付された後、行を変えて順次番号を付され、最終的に右下隅のＤＣＴブロックに番号１１３９が付されている。
【００７９】
例えば輝度信号ＹのＤＣＴブロックＺＹ  は、徐算の剰余を表す記号として％を用いて、
ＺＹ  ＝（１０８７×ＮＹ  ）％１１４０                      （１）
という式（１）を満足するＮＹ  番目に記録する。式（１）における値１０８７は式（１）の値１１４０と互いに素の関係にある。このため、式（１）の値ＺＹ
も上記ＮＹ  が０〜１１３９に変化する間に０〜１１３９の値を取る。
色差信号（Ｒ−Ｙ）、（Ｂ−Ｙ）では、ＤＣＴブロック数が３８×１５＝５７０個あるので、式（１）と同様の剰余を算出するための
ＺＣ  ＝（１０８７×ＮＣ  ）％５７０                        （２）
という式（２）を満足するＮＣ  番目に記録する。
【００８０】
このような式（１）、式（２）の演算を行うことによってアドレス発生を行い易くすると共に、磁気テープ上で連続するＤＣＴブロックの消失しても画面上でのエラーが分散されて目立たないようにすることができる。
【００８１】
しかしながら、上記式（１）、式（２）で算出したデータをそのまま用いると、隣同士のＤＣＴブロックが、テープ上で横並びになってしまう。このとき、図１６（ａ）に示す磁気テープの長手方向、例えばセクタＳＡ１側に形成されたバーストエラーによる傷ＢＥ等がある場合、傷に沿ってエラーの発生場所が“Ｌ２、Ｌ６、Ｌ４”に集中してしまうことになる。このため、画面上に表示されるこのエラー集中を避けるため、シャフリング部１１は、図１６（ｂ）に示すように画面上のある２×３個のＤＣＴブロックが取り出して記録する初期位置にオフセットを設けて分散させている。このようにシャフリング部１１は、シンクブロックの位置をオフセットさせて記録させている。このように記録することによりテープ上のエラーの発生位置を分散化させることができる。
【００８２】
実際に、シャフリング部１１は、エラーの分散を等しくするため、１セクタあたりのシンクブロック数が１１４個であることを用いて、略々等間隔に離してそれぞれ略々１セクタ分の距離に置いている（表１を参照）。例えばラベルＬ２のデータブロックは、チャンネルＣＨ１、ＣＨ２共に“５８”ずつオフセットさせて略々１セクタ分ずらしている。
【００８３】
ここで、１シンクブロックのＤＣＴブロック数は、輝度信号Ｙのデータブロック数１０、色差信号（Ｒ−Ｙ）、（Ｂ−Ｙ）のデータブロック数が各５個ずつ、計２０個で構成されている。画面上の輝度信号と色差信号のＤＣＴブロックを異なったシンクブロックに記録するため、上記式（１）の輝度信号の番号ＮＹ  をゼロから開始するのに対して式（２）の色差信号の番号ＮＣ  をＮＣ  ＝１０から始めるようにオフセットを持たせている。
【００８４】
なお、この実施例では、６２５／５０のＰＡＬ方式に基づいて説明したが、５２５／６０のＮＴＳＣ方式でも同様に行うことができる。その設定は、ＰＡＬ方式での垂直方向のサンプル数の３０４個がＮＴＳＣ方式では２５６個になることに伴い、式（１）、式（２）の値１０８７を９１３に、値１１４０を９６０に変更してオフセット値が異なることを除くと基本的に同様にできる。
【００８５】
以上のようにＤＣＴブロックを配列するシャフリング処理を行うことにより、ディジタルＶＴＲにおいては、例えばＤＣＴブロックの境界でエラーがある場合、長手方向に傷が付いた場合、回転ヘッドに設けた磁気ヘッドの一つ、あるいは隣接する磁気ヘッドのペアがヘッドクロッグした場合、バーストエラーが発生した場合等のエラーがあってもコンシールして画面上に現れる不具合を目立たなくさせることができる。
【００８６】
上記ＤＣＴブロックを複数個まとめてシンクブロックが構成され、この１シンクブロックを１等長化単位として扱って、画像データのエラーを画面上で分散化して目立たないようにすることができる。
【００８７】
また、画面上の同じ画素に対応する輝度信号のＤＣＴブロックと色差信号のＤＣＴブロックをそれぞれテープ上の異なるシンクブロックに記録し色差信号を構成する２つの色差信号のデータブロックを同じシンクブロックに記録して例えばシャトル再生しても色再現性が悪化することを防ぐことができる。
【００８８】
以上説明したような本発明の実施例となる画像データ記録装置によれば、入力画像データをサブサンプリングして得られたデータで複数の直交変換ブロックを構成し、この直交変換ブロックをシャフリングした後に直交変換処理を施してデータの圧縮を行う画像データ記録装置であって、上記サブサンプリングする際に重なり合う領域の上記直交変換ブロックを回転ヘッドのそれぞれ異なったヘッドチャンネルに対応させて記録することにより、エラーがあってもコンシールして画面上に現れる不具合を目立たなくさせることができる。前述した複数のシャフリングの原理を満足させれば、例えばＤＣＴブロックの境界でエラーがある場合、長手方向に傷が付いた場合、回転ヘッドに設けた磁気ヘッドの一つ、あるいは隣接する磁気ヘッドのペアがヘッドクロッグした場合、バーストエラーが発生した場合等のエラーがあってもコンシールして画面上に現れる不具合を目立たなくさせることができる。
【００８９】
また、上記直交変換ブロックを複数個まとめた１シンクブロックが１等長化単位として扱われることにより、画像データのエラーを画面上で分散化して目立たないようにすることができる。
【００９０】
また、画面上の同じ画素に対応する輝度信号のＤＣＴブロックと色差信号のＤＣＴブロックをそれぞれテープ上の異なるシンクブロックに記録し色差信号を構成する２つの色差信号のＤＣＴブロックを同じシンクブロックに記録して例えばシャトル再生しても色再現性が悪化することを防ぐことができる。
【００９１】
なお、本実施例は５２５／６０のＮＴＳＣ方式に適用することもできる。
【００９２】
【発明の効果】
本発明に係る記録装置及び方法は、入力画像データを複数の直交変換ブロックに分割し、複数の直交手段ブロックのうち所定数の直交変換ブロックをブロック化することで複数のデータブロックを形成し、複数のデータブロックの各データブロックから、所定のアルゴリズムに従ってそれぞれ１個ずつ選択された複数の直交変換ブロックからシンクブロックを形成し、複数のシンクブロックのトラックへの記録処理を行う際に、シンクブロックがトラックの前半部のセクタに記録されるように、かつ、上ンクブロックに含まれる直交変換ブロックをコンシールする場合に使用される直交変換ブロックが、シンクブロックを記録するトラックとは異なるトラックであってかつ該異なるトラックの後半部のセクタに記録されるように記録処理を行うことにより、連続的なエラーが生じた場合でもコンシールにより画面上の不具合を目立たなくさせることができる。例えば、ＤＣＴブロックの境界でエラーがある場合、長手方向に傷が付いた場合、回転ヘッドに設けた磁気ヘッドの一つ等がヘッドクロッグした場合のように、バーストエラーが発生した場合であっても、コンシールして画面上に現れる不具合を目立たなくさせることができる。
【図面の簡単な説明】
【図１】本発明に係る記録装置及び方法の一実施例となる画像データ記録装置の概略的な構成を示したブロック図である。
【図２】画像データ記録装置におけるシャフリング部の構成を示したブロック図である。
【図３】本実施例で用いる回転ヘッドにおいて、各磁気ヘッドの配置を示した模式的な図である。
【図４】画像データ記録装置において６トラックで１フィールドのデータを書き込むトラック構成及び各トラックに対応する磁気ヘッドを示した図である。
【図５】画像データ記録装置における画像データに対応して行われるサブサンプリングを説明するための図である。
【図６】画像データ記録装置のトラック、記録チャンネル及び磁気ヘッドの関係を説明するための図である。
【図７】画像データ記録装置におけるトラックを２つのセクタに分割することによる利点を説明するための図である。
【図８】回転ヘッドに使用するヘッドチャンネルが同一のチャンネルＣＨ１、あるいはＣＨ２のＤＣＴブロックを同一トラック内に縦方向に配列することとこの配列によるコンシールの可能性を説明するための図である。
【図９】縦方向に並んだＤＣＴブロック（Ｌ１、Ｌ２）、（Ｌ５、Ｌ６）、（Ｌ３、Ｌ４）をペアにトラックの２つのセクタに分けて記録することを説明するための図である。
【図１０】画像データ記録装置におけるヘッドチャンネルの同一のチャンネルに記録したとき、トラック記録した後の同じヘッドチャンネルの次トラックには上記一つ前のトラックで記録したＤＣＴブロックの左隣に位置するＤＣＴブロックを記録することを説明するための図である。
【図１１】図１０に示したＤＣＴブロック配列にすることによりコンシールが可能になることを説明するための模式的な図である。
【図１２】いわゆるディジタルＶＴＲの４：２：２の規格で１画素（ピクセル）が輝度信号Ｙ、色差信号（Ｒ−Ｙ）、（Ｂ−Ｙ）で表されることを示した図である。
【図１３】ディジタルＶＴＲにおいて画像データをサブサンプリングしてＤＣＴブロックを構成し、分類する手順を説明するための図である。
【図１４】複数の提案されたシャフリング原理に応じて１フィールド分の１２グループのＤＣＴブロックを磁気テープ上に配置した際のパターンを示した図である。
【図１５】画像データ記録装置におけるシンクブロックのＤＣＴブロック配列を示した模式的な図である。
【図１６】画像データ記録装置におけるＤＣＴブロックが取り出された際の記録位置にオフセットを設けてＤＣＴブロックを分散させた配列を示した図である。
【符号の説明】
１０，１８  入力端子、  １１  シャフリング部、  １２  離散コサイン変換（ＤＣＴ）部、  １３  可変長符号化部、  １４  誤り訂正エンコード部、  １５  記録ユニット、  １６  回転ヘッド、  １７  磁気テープ、  １９，２６  出力端子、  ２１  再生ユニット、  ２２  誤り訂正デコード部、  ２３  可変長復号化部、  ２４  逆離散コサイン変換（ＩＤＣＴ）部、  ２５  デシャフリング部、  １１１  データ入出力インターフェース部、  １１２  アドレス切換選択部、  １１３  書込みアドレス生成部、  １１４  読出しアドレス生成部、１１５  メモリ、  ＳＡ１，ＳＡ２  セクタ、  Ｌ１〜Ｌ６  ラベル付けされたデータブロック
【図１】
0003541830.tif 000003
【図２】
0003541830.tif 000004
【図３】
0003541830.tif 000005
【図４】
0003541830.tif 000006
【図５】
0003541830.tif 000007
【図６】
0003541830.tif 000008
【図７】
0003541830.tif 000009
【図８】
0003541830.tif 000010
【図９】
0003541830.tif 000011
【図１０】
0003541830.tif 000012
【図１１】
0003541830.tif 000013
【図１２】
0003541830.tif 000014
【図１３】
0003541830.tif 000015
【図１４】
0003541830.tif 000016
【図１５】
0003541830.tif 000017
【図１６】
0003541830.tif 000018